(57)【要約】      （修正有）【課題】開口部側からの剥離を容易にし、かつ袋体内部からの剥離を防止したイージーオープン機能を備えた合成樹脂製袋体を提供する。【解決手段】合成樹脂製の袋体には表裏２枚の胴部フィルム１ａ、１ｂがある。一方の胴部フィルム１ａの内側にはイージーピールテープ４のイージーピール層を弱接着６ａする。他方の胴部フィルム１ｂの内側にはイージーピールテープ４の熱接着層を弱接着６ａよりも狭い幅で袋体開口部側と袋体内方側に非接着部を有して強接着５する。弱接着６ａと強接着５をイージーピールテープ４の袋横幅方向と直交するテープ幅方向で長短の接着段差を持たせ、開口部側からの剥離を容易にし、かつ袋体内部からの剥離を防止した。【選択図】図１０
2012020790.tif 000002
【特許請求の範囲】
【請求項１】
表裏２枚の胴部フィルムよりなる合成樹脂製袋体において、イージーピール層と熱接着層とからなる１枚のイージーピールテープを袋体開口部の一方の胴部フィルム内側にイージーピール層を袋体開口部側に非接着部を有し、袋体内方側はイージーピールテープの端縁に渡って弱接着し、他方の胴部フィルムの内側に前記イージーピールテープの熱接着層を前記弱接着の幅より狭い幅で袋体開口部側と袋体内方側に非接着部を有して強接着し、前記弱接着と強接着をイージーピールテープの袋横幅方向と直交するテープ幅方向で長短の接着段差を持たせ、開口部側からの剥離を容易にし、かつ袋体内部からの剥離を防止したことを特徴とするイージーオープン機能を備えた合成樹脂製袋体。
【請求項２】
袋体の開口部に再開閉可能なチャックをイージーピールテープの上方又は下方に配置した請求項１に記載のイージーオープン機能を備えた合成樹脂製袋体。
【発明の詳細な説明】
【技術分野】
【０００１】
本発明は、イージーオープン機能を備えた合成樹脂製袋体に関するものである。
【背景技術】
【０００２】
袋体の開口部に開閉可能なチャックを備え、このチャックより下方にイージーピールテープを配置した合成樹脂製袋体が提供されている。
【０００３】
前記イージーピールテープを配置した目的は、チャックが開いた状態であっても袋体内の気密状態を維持することや袋体内の包入物が液体の場合に外部に浸出することを防止することである。
【０００４】
しかしながら、イージーピールテープによる密閉手段は、強力な接着力を有する接着層では、袋体内から外部への液体の浸出防止機能を有しているが、開口部側からの剥離は容易ではないという問題を有する。
【０００５】
開口部側からのイージーピールテープの剥離を容易にするには、接着強度を０．６〜１．５ｋｇ／１５ｍｍとすることにより満足するが、これでは袋体内部側からの強度に対しては不足であり、従って、内容物の種類、重量、充填率等が限定されてしまう欠点がある。この欠点を解消するにはイージーピールテープの接着強度を２．０〜４．０ｋｇ／１５ｍｍ以上に強力な接着力とすることで満足するが、上記のような開口部側からの剥離は容易ではないという問題を有することになる。
【先行技術文献】
【特許文献】
【０００６】
【特許文献１】特開昭５７−９６９５２公報
【特許文献２】実開昭５７−１０５２４８公報
【特許文献３】実公昭６２−３８９２０公報
【特許文献４】特開昭６２−２７１８４７公報
【特許文献５】特開平０２−２４２７４８公報
【特許文献６】実開平０６−１４０４４公報
【発明の開示】
【発明が解決しようとする課題】
【０００７】
本発明は、開口部側からの剥離を容易にし、かつ袋体内部からの剥離を防止したイージーオープン機能を備えた合成樹脂製袋体を提供することである。
【課題を解決するための手段】
【０００８】
<01>  本発明は表裏２枚の胴部フィルムよりなる合成樹脂製袋体において、イージーピール層と熱接着層とからなる１枚のイージーピールテープを袋体開口部の一方の胴部フィルム内側にイージーピール層を袋体開口部側に非接着部を有し、袋体内方側はイージーピールテープの端縁に渡って弱接着し、他方の胴部フィルムの内側に前記イージーピールテープの熱接着層を前記弱接着の幅より狭い幅で袋体開口部側と袋体内方側に非接着部を有して強接着し、前記弱接着と強接着をイージーピールテープの袋横幅方向と直交するテープ幅方向で長短の接着段差を持たせ、開口部側からの剥離を容易にし、かつ袋体内部からの剥離を防止したことを特徴とする。
<02>  本発明は、また、上記に記載のイージーオープン機能を備えた合成樹脂製袋体において、袋体の開口部に再開閉可能なチャックをイージーピールテープの上方又は下方に配置したことを特徴とする。
【発明の効果】
【０００９】
本発明によると、１枚のイージーピールテープを袋体の開口部側からではイージーピール層の弱接着により弱い力で剥離することができ、袋体の開口部の開口操作を容易とし、袋体内部からの圧力では、イージーピール層の弱接着を剥離することなく密閉状態を確保する。
【図面の簡単な説明】
【００１０】
【図１】本発明の実施例１を示す要部の断面図
【図２】実施例１の袋体の開口状態を示す要部の断面図
【図３】実施例１における袋体内部からの圧力が作用した状態を示す要部の断面図
【図４】実施例１のイージーピールテープの断面図
【図５】実施例１の強接着態様の設計変更例を示すイージーピールテープの断面図
【図６】実施例１の強接着態様の設計変更例を示すイージーピールテープの断面図
【図７】実施例１の強接着態様の設計変更例を示すイージーピールテープの断面図
【図８】本発明の実施例２を示す要部の断面図
【図９】実施例２の袋体の開口状態を示す要部の断面図
【図１０】実施例２における袋体内部からの圧力が作用した状態を示す要部の断面図
【図１１】実施例２のイージーピールテープの断面図
【図１２】イージーピールテープにおける弱接着の各種の接着パターンを示す図
【発明を実施するための最良の形態】
【００１１】
以下本発明を実施するための最良の形態を図面に基づいて説明する。図１〜図７は本発明の実施例１を示し、合成樹脂製袋体は表側胴部フィルム１ａと裏側胴部フィルム１ｂとにより形成している。２は袋体の開口部であり、３は前記開口部２に設けた再開閉可能なチャックである。２ａ、２ｂは前記開口部２の開口操作の際の摘み片であり胴部フィルム１ａ、１ｂの上端部を利用してもよいし、別途に専用の摘み片を形成してもよい。
【００１２】
本発明は、袋体開口部２の前記それぞれの胴部フィルム１ａ、１ｂの内側に袋横全幅に渡って弱接着面６のイージーピール層１１が対面するよう２枚のイージーピールテープ４ａ、４ｂを強接着５ａ、５ｂし、前記一方と他方のイージーピールテープ４ａ、４ｂの強接着５ａ、５ｂは袋体内部側の端部を袋横幅方向と直交するテープ幅方向で長短の接着幅段差を持たせ、図１乃至図４は前記両方の強接着５ａ、５ｂの開口部側の端部イ、ロをイージーピールテープ４ａ、４ｂの開口部側の端縁に位置したものである。
【００１３】
前記イージーピールテープ４ａ、４ｂは図４で例示しているように、ＰＥ又はＣＰＰあるいはＰＥＴ又はＮＹの熱接着層９、ＰＥＴ又はＮＹの中間層１０及びイージーピール層１１の３層からなるテープである。尚、前記３層に限定するものではなく、熱接着層９とイージーピール層１１の２層構成でもよい。
【００１４】
本発明の実施例１を図１により説明する。開口部２の胴部フィルム１ａ、１ｂの内側に袋横全幅に渡って弱接着面６のイージーピール層１１が対面するよう一方のイージーピールテープ４ａは袋全幅方向と直交するテープ幅全面Ｃ１を胴部フィルム１ａに強接着５ａし、他方のイージーピールテープ４ｂは袋体内部側の端部をテープ幅より狭い幅Ｃ２で胴部フィルム１ｂに強接着５ｂする。つまり、一方の強接着５ａはテープ幅全面Ｃ１＞他方の強接着５ｂはテープ幅より狭い幅Ｃ２の関係となっている。また、前記両方の強接着５ａ、５ｂの開口部側の端部イ、ロをイージーピールテープ４ａ、４ｂの開口部側の端縁に位置した構成である。従って、強接着５ａの袋体内側の端部ハとテープ幅より狭い幅Ｃ２の強接着５ｂの袋体内側の端部ニとは長短の接着幅段差を有している。前記テープ幅より狭い幅Ｃ２はテープ幅の１／２前後が適当である。
【００１５】
前記弱接着面６の接着強度は例えば、０．６〜１．５ｋｇ／１５ｍｍであり、強接着５ａ、５ｂの接着強度を２．０〜４．０ｋｇ／１５ｍｍである。
【００１６】
上記の構造よりなる本発明の実施例１の作用について説明する。開口部２の開口では摘み片２ａ、２ｂを指先で摘み、図２（Ａ）で示すように左右に引っ張ると、この摘み片２ａ、２ｂの左右の引っ張力が図２（Ｂ）で示すようにイージーピールテープ４ａ、４ｂの開口部側の端部イ、ロに作用してイージーピールテープ４ａ、４ｂの開口部側端が左右に剥離する。このイージーピールテープ４ａ、４ｂの開口部側の端部イ、ロに左右の引っ張力が作用することにより、弱接着面６には図４で示すように弱接着面６に対し直角の左右相反する方向の力Ｆ１が作用し図２で示すようにイージーピールテープ４ａ、４ｂの開口部側の端部から弱接着面６が左右に剥離を開始し弱接着面６の全面が弱い力で剥離する。すなわち、開口部側からではイージーピールテープ４ａ、４ｂは弱い力で剥離して開口部２を容易に開口し、袋体内部からの剥離を防止することができるのである。
【００１７】
前記開口部側からではイージーピールテープ４ａ、４ｂを弱い力で剥離することができる理由は、前記のようにイージーピールテープ４ａ、４ｂの開口部側の端部イ、ロに左右の引っ張力が作用することにより、弱接着面６には図４で示すように、弱接着面６が剥離し易い弱接着面６に対し直角の左右相反する方向の力Ｆ１が作用するからである。
【００１８】
一方、袋体内部からの圧力では、イージーピール層１１の弱接着面６を剥離することなく密閉状態を確保する。その理由は、強接着５ａの袋体内側の端部ハとテープ幅より狭い幅Ｃ２の強接着５ｂの袋体内側の端部ニとに長短の接着幅段差を有していることにある。  
【００１９】
すなわち、袋体内部からの圧力では図３で示すように、一方の胴部フィルム１ａにはテープ幅全面Ｃ１の強接着５ａの袋体内側の端部ハに力が作用し、他方の胴部フィルム１ｂにはテープ幅より狭い幅Ｃ２の強接着５ｂの袋体内側の端部ニに力が作用する。この長短の接着幅段差を有している強接着５ａの袋体内側の端部ハと強接着５ｂに作用する力は弱接着面６の面方向の力Ｆ２であり、弱接着面６の面方向の力Ｆ２に作用する力では面接着しているイージーピール層１１の弱接着面６は剥離されず密閉状態を確保するのである。  
【００２０】
次に、本発明の設計変更例を以下に説明する。図５で示すように、強接着５ａと強接着５ｂの開口部側の端部をイージーピールテープ４ａ、４ｂの開口部側の端縁に位置し、一方の胴部フィルム１ａ側の強接着５ａの袋体内側の端部をイージーピールテープ４ａの袋体内側端縁よりＤ３だけ上方にずらして位置する。
【００２１】
さらに、図６で示すように、一方のイージーピールテープ４ａの袋体内側の端部は袋横幅方向と直交するテープ幅の下端縁に位置して一方の胴部フィルム１ａに強接着５ａし、他方のイージーピールテープ４ｂの袋体内部側の端部はテープ幅より狭い幅で他方の胴部フィルム１ｂに強接着５ｂすると共に、前記は両方の強接着５ａ、５ｂの開口部側の端部をイージーピールテープの開口部側の端縁よりＤ１、Ｄ２だけ若干下方にずらして位置する。前記Ｄ１、Ｄ２はＤ１≧Ｄ２の関係とする。
【００２２】
また、図７で示すように、一方のイージーピールテープ４ａは袋横幅方向と直交するテープ幅の袋体内部側の端部からＤ３だけ若干上方にずらして胴部フィルム１ａに強接着５ａし、他方のイージーピールテープ４ｂの袋体内部側の端部はテープ幅より狭い幅で他方の胴部フィルム１ｂに強接着５ｂすると共に、前記両方の強接着５ａ、５ｂの開口部側の端部をイージーピールテープ４ａ、４ｂの開口部側の端縁よりＤ１、Ｄ２だけ若干下方にずらして位置する。前記Ｄ１、Ｄ２はＤ１≧Ｄ２の関係とする。
【００２３】
上記の設計変更例の何れにおいても、開口部側からではイージーピールテープ４ａ、４ｂは弱い力で剥離して開口部２を容易に開口し、袋体内部からの剥離を防止することができる。
【００２４】
このように本発明の実施例１は、上記の構造により、剥離力を開口部側からのイージーピールテープ４ａ、４ｂ剥離力を弱くして開口操作を容易にし、袋体内部側からは剥離し難い袋形態を商品開封時まで維持できるという利点を有している。また、袋体外部から不測的な力がかかっても、その力はイージーピールテープ４ａ、４ｂの弱接着面６には伝播せず、強接着５ｂがテープ幅より狭い幅Ｃ２側の袋体内側の胴部フィルム１ｂの前記強接着５ｂにより接着面に伝播して、その接着強度を維持するため、破袋を防止する利点も有している。
【００２５】
さらに、袋体の商品内容物が、液体あるいは水物の場合、チャックの下方に沿ってイージーピールテープ４ａ、４ｂを配置することにより、商品に含有する液体等が開口部２まで浸出することが阻止できるため、商品陳列時の商品イメージや商品の取り扱いを損なわない利点を有している。また、イージーピールテープ４ａ、４ｂを剥離することで開口して内容物を取り出すことができるため、ノッチにより開口部を引き裂き切り取り開封して内容物を取り出す必要がなく、切り取ったフイルム片を散らかすことがない。
【００２６】
上記実施例１は２枚のイージーピールテープ４ａ、４ｂで構成された合成樹脂製袋体であるが、本発明は図８〜図１０で示すように１枚のイージーピールテープ４でも、上記実施例１と同様にイージーピールテープを袋体の開口部側からではイージーピール層の弱接着により弱い力で剥離することができ、袋体の開口部の開口操作を容易とし、袋体内部からの圧力では、イージーピール層の弱接着を剥離することなく密閉状態を確保することができる。１枚のイージーピールテープ４による実施例２について以下説明する。
【００２７】
実施例２においても合成樹脂製袋体は表側胴部フィルム１ａと裏側胴部フィルム１ｂとにより形成している。２は袋体の開口部であり、３は前記開口部２に設けた再開閉可能なチャックである。２ａ、２ｂは前記開口部２の開口操作の際の摘み片であり胴部フィルム１ａ、１ｂの上端部を利用してもよいし、別途に専用の摘み片を形成してもよい。
【００２８】
１枚のイージーピールテープ４は図１１で示すように、ＰＥ又はＣＰＰあるいはＰＥＴ又はＮＹの熱接着層９、ＰＥＴ又はＮＹの中間層１０及びイージーピール層１１の３層からなるテープである。尚、前記３層に限定するものではなく、熱接着層９とイージーピール層１１の２層構成でもよい。
【００２９】
前記イージーピール層１１と熱接着層９とからなる１枚のイージーピールテープ４を袋体開口部の一方の胴部フィルム１ａの内側にイージーピール層１１を袋体の開口部２側に非接着部Ｇ１を有し、袋体内方側はイージーピールテープ４の端縁に渡って接着幅Ｅ１で弱接着６ａし、他方の胴部フィルム１ｂの内側に前記イージーピールテープ４の熱接着層９を前記弱接着６ａの接着幅Ｅ１より狭い幅Ｅ２で袋体の開口部２側と袋体内方側に非接着部Ｇ２、Ｇ３を有して強接着５し、前記弱接着６ａと強接着５をイージーピールテープ４の袋横幅方向と直交するテープ幅方向で長短の接着段差を持たせた構造である。
【００３０】
前記弱接着６ａの接着強度は例えば、０．６〜１．５ｋｇ／１５ｍｍであり、強接着５の接着強度を２．０〜４．０ｋｇ／１５ｍｍである。
【００３１】
上記の構造よりなる本発明の実施例２の作用について説明する。開口部２の開口では摘み片２ａ、２ｂを指先で摘み、図９（Ａ）で示すように左右に引っ張ると、この摘み片２ａ、２ｂの左右の引っ張力が図９（Ｂ）で示すようにイージーピールテープ４の開口部側の端縁より非接着部Ｇ１、Ｇ２だけ下方に位置するホ、ヘに作用してイージーピールテープ４の開口部側端が左右方向に容易に剥離する。このイージーピールテープ４の開口部側の端縁より非接着部Ｇ１、Ｇ２だけ下方に位置するホ、ヘに左右の引っ張力が作用することにより、弱接着６ａには図１１で示すように弱接着６ａの接着面に対し直角の左右相反する方向の力Ｆ１が作用し図９示すようにイージーピールテープ４の開口部側の端部から弱接着６ａが左右に剥離を開始し弱接着６ａの全面が弱い力で剥離する。すなわち、開口部側からではイージーピールテープ４は弱い力で剥離して開口部２を容易に開口し、袋体内部からの剥離を防止することができるのである。
【００３２】
前記開口部側からではイージーピールテープ４を弱い力で剥離することができる理由は、前記のようにイージーピールテープ４の開口部側の端縁より非接着部Ｇ１、Ｇ２だけ下方に位置するホ、へに左右の引っ張力が作用することにより、弱接着６ａの接着面には図１２で示すように、弱接着６ａが剥離し易い弱接着６ａに対し直角の左右相反する方向の力Ｆ１が作用し、界面又は凝集剥離を起こすからである。
【００３３】
一方、袋体内部からの圧力では、弱接着６ａを剥離することなく密閉状態を確保する。その理由は、弱接着６ａの袋体内側の端部トと、テープ幅より狭い幅Ｅ２の強接着５の袋体内側の端部チとイージーピールテープ４の下端縁との間に非接着部Ｇ３を有する長短の接着幅段差を有していることにある。
【００３４】
すなわち、袋体内部からの圧力では図１０で示すように、一方の胴部フィルム１ａには弱接着６ａ袋体内側の端部トに力が作用し、他方の胴部フィルム１ｂにはテープ幅より狭い幅Ｅ２の強接着５の袋体内側の非接着部Ｇ３によりチに力が作用する。この長短の接着幅段差を有している強接着５の袋体内側の端部チに作用する力は強接着５と弱接着６ａの面方向の力Ｆ２であり、弱接着６ａの面方向の力Ｆ２（剪断応力）に作用する力では面接着しているイージーピール層１１の弱接着６ａは剥離されず密閉状態を確保するのである。
【００３５】
上記弱接着６ａと強接着５との袋体の開口部２側の端部や袋体内側の端部との位置は、上記実施例１の強接着５ａ、５ｂのＤ１、Ｄ２、Ｄ３のように設計変更が自由に設定される。また、実施例２の１枚のイージーピールテープ４でも上記に記述した実施例１と同様の作用及び効果が得られ、実施例１に比較してコストダウンを図ることができる。
【００３６】
上記実地例１及び実施例２のイージーピールテープ４における弱接着６及び６ａの接着パターンとしては、図１２で例示する。すなわち、袋体の開口部側を鋸歯形１３、矩形１４、円形１５としたものや格子目シール１６、線シール１７、気泡シール１８等を選択的に用いる。
【００３７】
本発明は、フィルム等の接着面に剥離接着樹脂を直接塗布したものに比べ、煩雑な工程も不要で加工が容易であり、製造コストも安価であるという利点を有している。
【００３８】
本発明の袋体は、液体や水物の包入に限ることなく、粉体や微粒体、その他各種の包入商品を包入する袋体にも適用することもできる。
【００３９】
上記の実施例では、開口部２に再開閉可能なチャック３をイージーピールテープ４ａ、４ｂ、４の上方に設けた袋体で説明したが、チャック３をイージーピールテープ４ａ、４ｂ、４の下方に設けても良いし、また、本発明はチャックなしの袋体にも適用されることを付言する。
【符号の説明】
【００４０】
１ａ  表側胴部フィルム
１ｂ  裏側胴部フィルム
２    開口部
３    チャック
４    イージーピールテープ
４ａ  イージーピールテープ
４ｂ  イージーピールテープ
５    強接着
５ａ  強接着
５ｂ  強接着
６    弱接着面
６ａ  弱接着
９    熱接着層
１１    イージーピール層
【図１】
2012020790.tif 000003
【図２】
2012020790.tif 000004
【図３】
2012020790.tif 000005
【図４】
2012020790.tif 000006
【図５】
2012020790.tif 000007
【図６】
2012020790.tif 000008
【図７】
2012020790.tif 000009
【図８】
2012020790.tif 000010
【図９】
2012020790.tif 000011
【図１０】
2012020790.tif 000012
【図１１】
2012020790.tif 000013
【図１２】
2012020790.tif 000014